(57)【要約】【課題】先に入浴した者が浴槽を出るときに、次に入浴する者の入浴予想時刻において浴槽の温水温度を予め設定した温度とするのに、自動追い焚きと手動追い焚きのどちらを選択すべきかの情報を、使用者に与えることができるようにする。【解決手段】給湯機付き風呂釜１は、次の入浴者の入浴予想時刻を入力する入浴予想時刻人力手段７１と、前記入浴予想時刻での浴槽水の温度を予測する浴槽水温度予測手段３１と、入浴予想時刻まで自動追い焚きを選択した場合の第１の消費エネルギ量を演算する第１演算手段３２と、入浴予想時刻まで自動追い焚きせずに入浴予想時刻から手動追い焚きすることを選択した場合の第２の消費エネルギ量を演算する第２演算手段３３と、第１の消費エネルギ量と第２の消費エネルギ量を比較する比較手段３５と、結果を表示する表示手段７２を少なくとも備える。【選択図】図１
2011242028.tif 000002
【特許請求の範囲】
【請求項１】
次の入浴者の入浴予想時刻を入力する入浴予想時刻人力手段と、
前記入浴予想時刻を入力した時点での浴槽水の持つ熱量に基づき前記入浴予想時刻での浴槽水の温度を予測する浴槽水温度予測手段と、
前記入浴予想時刻まで自動追い焚きを選択した場合の第１の消費エネルギ量または二酸化炭素排出量を演算する第１演算手段と、
前記入浴予想時刻まで自動追い焚きせずに前記入浴予想時刻から手動追い焚きすることを選択した場合の第２の消費エネルギ量または二酸化炭素排出量を演算する第２演算手段と、
前記第１の消費エネルギ量または二酸化炭素排出量および前記第２の消費エネルギ量または二酸化炭素排出量を同時にまたは別々に表示する表示手段と、
を少なくとも備えた給湯機付き風呂釜。
【請求項２】
次の入浴者の入浴予想時刻を入力する入浴予想時刻入力手段と、
前記入浴予想時刻を入力した時点での浴槽水の持つ熱量に基づき前記入浴予想時刻での浴槽水の温度を予測する浴槽水温度予測手段と、
前記入浴予想時刻まで自動追い焚きを行う自動追い焚きモードを選択した場合の第１の消費エネルギ量または二酸化炭素排出量を演算する第１演算手段と、
前記入浴予想時刻まで追い焚きせずに前記入浴予想時刻から手動追い焚きをする手動追い焚きモードを選択した場合の第２の消費エネルギ量または二酸化炭素排出量を演算する第２演算手段と、
前記第１の消費エネルギ量または二酸化炭素排出量および前記第２の消費エネルギ量または二酸化炭素排出量を比較する比較手段と、
前記比較手段によって消費エネルギ量が少ないまたは二酸化炭素排出量が小さいと判断されたモードを表示する表示手段と、
を少なくとも備えた給湯機付き風呂釜。
【請求項３】
前記比較手段は前記第１の消費エネルギ量または二酸化炭素排出量および前記第２の消費エネルギ量または二酸化炭素排出量との差分を演算する演算手段をさらに備え、前記表示手段は前記差分をも同時に表示するようになっていることを特徴とする請求項２に記載の給湯機付き風呂釜。
【発明の詳細な説明】
【技術分野】
【０００１】
本発明は給湯機付き風呂釜に関し、特に、自動追い焚きモードと手動追い焚きモードとが選択できるようになっている給湯機付き風呂釜において、そのいずれを選択すべきかに関する情報を使用者に提供できるようにした給湯機付き風呂釜に関する。
【背景技術】
【０００２】
自動追い焚きモードと手動追い焚きモードとが選択できるようになっている給湯機付き風呂釜は知られている。
【０００３】
ここで、自動追い焚きモードとは、風呂釜に備えられた制御装置が、浴槽水の温度が予め設定した値を維持できるように風呂釜の燃焼と燃焼停止を繰り返すようにした運転モードであり、例えば３０分ごとに風呂釜を燃焼させ、燃焼開始後に浴槽水の温度が予め設定した値まで昇温したときに燃焼を停止する制御を反復するか、あるいは、浴槽水の温度が所定温度（例えば１．５度程度)だけ降下したときに風呂釜を燃焼させ、燃焼開始後に浴槽水の温度が予め設定した値まで昇温したときに燃焼を停止する制御を反復するモードなどが採用されている。
【０００４】
手動追い焚きモードとは、風呂釜の燃焼は停止した状態のときに、使用者が手動追い焚きを選択することで、風呂釜は燃焼を開始し、使用者が手動追い焚きを解除するか、または燃焼開始後に浴槽水の温度が予め設定した値まで昇温したときに制御装置が燃焼を停止するようにされたモードである。
【０００５】
現在用いられている給湯機付き風呂釜は、使用者が自動追い焚きモードと手動追い焚きモードのいずれかを選択できるようにはなっているが、そのいずれを選択すべきかに関する情報を使用者に提供するようにはなっていない。例えば、母親と子供が午後６時に入浴し、父親が午後１０時に入浴することが予想される日がある場合、母親は、風呂から出るときに、自動追い焚きモードを選択することで、父親がすぐに快適な温度で入浴できるようにしておくべきか、一旦風呂釜の燃焼を停止して、父親が入浴する直前に風呂釜の燃焼を開始する手動追い焚きモードを選択すべきか、の選択をしなければならない。この選択は、現在では、母親の経験に基づいて行われているだけである。
【０００６】
一方、給湯機付き風呂釜において、省エネルギの観点からその運転システムを改良する提案がなされており、特許文献１には、手動追い焚きモードを備えた給湯機付き風呂釜において、手動追い焚きを開始するときに浴槽に残湯がある場合、浴槽を設定湯量・湯温とするときに、残湯の持つ熱量を算出して、その残湯を利用したほうが経済的か、新たにお湯を供給したほうが経済的かを判断し、判断された内容を表示手段に表示するようにした給湯機付き風呂釜が記載されている。すなわち、給湯機付き風呂釜に備えられた制御装置が、いずれが省エネルギになるかを判断して、使用者に伝えるようにしている。
【先行技術文献】
【特許文献】
【０００７】
【特許文献１】特開平１１−１６６７６４号公報
【発明の概要】
【発明が解決しようとする課題】
【０００８】
特許文献１に記載される風呂釜は、手動追い焚きモードを選択したときでの省エネルギ運転については、有効性がある。しかし、自動追い焚きモードと手動追い焚きモードのいずれを選択するのが使用者にとって好ましいかについては、配慮がなされていない。
【０００９】
本発明は、上記の事情に鑑みてなされたものであり、使用者が風呂から上がるときに、自動追い焚きモードと手動追い焚きモードのいずれを選択すると省エネルギ(または二酸化炭素排出量の低減）となるかの情報を、制御装置が使用者に与えることができるようにし、それにより、使用者が、快適性を犠牲にして省エネルギを優先するか、または快適性を優先するか、のいずれかの運転態様を容易に選択できるようにした給湯機付き風呂釜を開示することを課題とする。
【課題を解決するための手段】
【００１０】
本発明による給湯機付き風呂釜の第１の態様は、次の入浴者の入浴予想時刻を入力する入浴予想時刻人力手段と、前記入浴予想時刻を入力した時点での浴槽水の持つ熱量に基づき前記入浴予想時刻での浴槽水の温度を予測する浴槽水温度予測手段と、前記入浴予想時刻まで自動追い焚きを選択した場合の第１の消費エネルギ量または二酸化炭素排出量を演算する第１演算手段と、前記入浴予想時刻まで自動追い焚きせずに前記入浴予想時刻から手動追い焚きすることを選択した場合の第２の消費エネルギ量または二酸化炭素排出量を演算する第２演算手段と、前記第１の消費エネルギ量または二酸化炭素排出量および前記第２の消費エネルギ量または二酸化炭素排出量を同時にまたは別々に表示する表示手段と、を少なくとも備えることを特徴とする。
【００１１】
また、本発明による給湯機付き風呂釜の第２の態様は、次の入浴者の入浴予想時刻を入力する入浴予想時刻入力手段と、前記入浴予想時刻を入力した時点での浴槽水の持つ熱量に基づき前記入浴予想時刻での浴槽水の温度を予測する浴槽水温度予測手段と、前記入浴予想時刻まで自動追い焚きを行う自動追い焚きモードを選択した場合の第１の消費エネルギ量または二酸化炭素排出量を演算する第１演算手段と、前記入浴予想時刻まで追い焚きせずに前記入浴予想時刻から手動追い焚きをする手動追い焚きモードを選択した場合の第２の消費エネルギ量または二酸化炭素排出量を演算する第２演算手段と、前記第１の消費エネルギ量または二酸化炭素排出量および前記第２の消費エネルギ量または二酸化炭素排出量を比較する比較手段と、前記比較手段によって消費エネルギが少ないまたは二酸化炭素排出量が小さいと判断されたモードを表示する表示手段と、を少なくとも備えることを特徴とする。
【００１２】
前記第２の態様の他の形態において、給湯機付き風呂釜の前記比較手段は前記第１の消費エネルギ量または二酸化炭素排出量および前記第２の消費エネルギ量または二酸化炭素排出量との差分を演算する演算手段をさらに備え、前記表示手段は前記差分をも同時に表示するようになっている。
【００１３】
本発明による給湯機付き風呂釜において、浴槽に湯張りをするまでの態様は、特許文献１に記載されるような従来の給湯機付き風呂釜と同じである。湯張り後、先に入浴した者は、浴槽から出るときに次の入浴者の入浴予想時刻を入浴予想時刻入力手段に入力する。
【００１４】
浴槽水温度予測手段は、入浴予想時刻を入力した時点での浴槽水の持つ熱量に基づき、そのまま放置したとき、すなわち自動追い焚きを行うことなく風呂釜の燃焼を停止状態としたときの、入浴予想時刻での浴槽水の温度を予測する。ここで、浴槽水の持つ熱量とは、浴槽水の水量と温度から得られる量である。浴槽水温度予測手段は、浴槽水の持つ熱量と放熱量との関係から、入浴予想時刻までの所定時間経過後の浴槽水の温度を演算して予測する。なお、浴槽水からの放熱量は、湯張り直後では大きく次第に小さくなる。
【００１５】
制御装置は、第１演算手段と第２演算手段を備える。
【００１６】
第１演算手段は、前記入浴予想時刻まで自動追い焚きを選択した場合の第１の消費エネルギ量または二酸化炭素排出量を演算する。前記したように、ここで自動追い焚きとは、例えば３０分ごとに風呂釜を燃焼させ、燃焼開始後に浴槽水の温度が予め設定した値まで昇温したときに燃焼を停止する制御を反復するか、あるいは、浴槽水の温度が所定温度（例えば１．５度程度)だけ降下したときに風呂釜を燃焼させ、燃焼開始後に浴槽水の温度が予め設定した値まで昇温したときに燃焼を停止する制御を反復するなどのように、風呂釜に備えられた制御装置が、浴槽水の温度が予め設定した値を維持できるように風呂釜の燃焼と燃焼停止を繰り返すようにした運転モードである。燃焼の時間間隔あるいは燃焼を開始するときの設定降下温度を適宜選択することで、前記入浴予想時刻までの追い焚き回数は異なってくるが、それらの値を適宜設定することで、第１演算手段は、入浴予想時刻まで予め設定した温度に浴槽水を維持しておくのに必要な第１の消費エネルギ量を算出すること、または例えば都市ガスを使用するときに発生する第１の二酸化炭素の排出量を演算することができる。
【００１７】
第２演算手段は、前記入浴予想時刻まで自動追い焚きせずに前記入浴予想時刻から手動追い焚きすることを選択した場合の第２の消費エネルギ量または二酸化炭素排出量を演算する。ここで手動追い焚きとは、燃焼を停止した状態にある風呂釜に対して、前記入浴予想時刻に使用者が風呂釜の燃焼を開始する態様であり、前記した入浴予想時刻での浴槽水の予測温度と浴槽水の量から、第２演算手段は、予め設定した温度まで浴槽水を昇温させるのに必要な第２の消費エネルギ量、または前記した第２の二酸化炭素排出量を演算することができる。
【００１８】
本発明による第１の態様による給湯機付き風呂釜では、前記第１の消費エネルギ量または二酸化炭素排出量および前記第２の消費エネルギ量または二酸化炭素排出量を同時にまたは別々に表示する表示手段を備え、それぞれの値が前記表示手段に表示される。使用者は、省エネルギ運転または低二酸化炭素排出量運転を希望する場合には、表示手段の表示結果から、数値の低い方を選択する。前記したように、浴槽水からの放熱量は、湯張り直後では大きく次第に小さくなるので、一般的には、手動追い焚きを選択する方が、省エネルギ運転または低二酸化炭素排出量運転となる。しかし、この場合、手動追い焚きを選択して風呂釜の燃焼を開始してから浴槽水の温度が所定温度にまで昇温するのに、多少時間がかかることから、快適性の点がやや犠牲になる。一方、自動追い焚き運転では、例えば１．５度程度の温度変動内に湯温を、入浴予想時刻まで維持しておくことができるので、快適性を求める場合には、自動追い焚き運転が有利となる。
【００１９】
本発明による第２の態様による給湯機付き風呂釜では、前記した第１の消費エネルギ量または二酸化炭素排出量と、前記した第２の消費エネルギ量または二酸化炭素排出量とを比較する比較手段をさらに備えており、前記表示手段は、前記比較手段によって消費エネルギが少ないまたは二酸化炭素排出量が小さいと判断されたモードを表示するようにされている点で、第１の態様の給湯機付き風呂釜と相違する。
【００２０】
第２の態様による給湯機付き風呂釜では、表示手段には、数値ではなく、自動追い焚きモードまたは手動追い焚きモードとして、消費エネルギが少ないまたは二酸化炭素排出量が小さいと判断されたモードが表示されるので、使用者にとって、よりわかりやすいものとなる。ただし、単に「自動追い焚きモード」または「手動追い焚きモード」と表示されるのみでは、他方のモードを選択した場合と比較してどの程度の省エネルギ性が達成できるのかを使用者は知ることができないので、「自動追い焚きモード」または「手動追い焚きモード」のいずれを選択すべきかに迷うことが起こり得る。
【００２１】
それを解消するために、前記第２の態様の他の形態では、前記したように、比較手段は第１の消費エネルギ量または二酸化炭素排出量および第２の消費エネルギ量または二酸化炭素排出量との差分を演算する演算手段をさらに備え、表示手段はその差分をも同時に表示するようになっている。この形態では、使用者は、２つのモード間での消費エネルギ量または二酸化炭素排出量の差異を具体的な数値で知ることができるので、「自動追い焚きモード」または「手動追い焚きモード」のいずれを選択すべきかについて情報をより的確に使用者に与えることが可能となる。
【発明の効果】
【００２２】
本発明によれば、自動追い焚きと手動追い焚きとを使用者が選択できる給湯機付き風呂釜において、先に入浴した者が浴槽を出るときに、次に入浴する者の入浴予想時刻を入力することで、そのいずれかを選択した場合に、入浴予想時刻あるいはその直後において浴槽水の温度を予め設定した温度とするために必要な消費エネルギ量または二酸化炭素排出量が少なくなるかを、直ちに視認することができるようになる。
【図面の簡単な説明】
【００２３】
【図１】給湯機付き風呂釜の構成を説明するための図。
【図２】給湯機付き風呂釜の運転時でのフローチャート。
【図３】手動追い焚きと自動追い焚きの場合での浴槽水の温度変化の一例を示す図。
【発明を実施するための形態】
【００２４】
本発明の実施の形態を図面を参照して説明する。図１は、給湯機付き風呂釜の一例と浴槽とを示している。
【００２５】
給湯機付き風呂釜１は、燃焼部１０と、熱交換器２０と、水および温水の配管群と、制御装置３０と、入力兼表示手段７０を備える。配管群の一部は浴槽２との間で循環管路を形成している。以下、それぞれについて説明する。
【００２６】
燃焼部１０は、２個の主バーナー１１、１２と、追い焚き用バーナー１３を備える。なお、主バーナーは１個であっても、３個以上のバーナーが並設されていてもよい。熱交換器２０は、前記主バーナー１１、１２に対する主熱交換器２１と、追い焚き用バーナー１３に対する追い焚き用熱交換器２２とで構成される。
【００２７】
燃焼部１０には、燃焼空気供給用ファン１４が備えられ、すべての前記バーナー１１、１２、１３に対して燃焼空気が供給される。図示しないが、主熱交換器２１あるいは追い焚き用熱交換器２２の双方またはいずれか一方で熱交換して温度上昇した水を浴室や居室等に循環させて、室内暖房や乾燥等に使用することもできる。
【００２８】
主熱交換器２１内には、水供給配管４１から水が送られる。水供給配管４１には流量調整弁４２が備えられている。燃焼部１０にはガス供給管路６１から燃焼用ガスが供給され、また、燃焼空気供給用ファン１４から燃焼用空気が送られて、各バーナーは燃焼し、燃焼ガスを発生する。主バーナー１１、１２が燃焼することにより発生した燃焼ガスは、主熱交換器２１で水供給配管４１内を流れる水と熱交換して水を加熱する。加熱された温水は温水配管４３とそこに続く一般給湯用温水配管４４を通って台所や洗面所の図示しない給湯栓に送られる。この例において、一般給湯用温水配管４４には流量センサ４５が備えられている。
【００２９】
ガス供給管路６１には元ガス電磁弁６２、ガス比例弁６３、切替え電磁弁６４が設けられている。元ガス電磁弁６２はガス供給源からガス供給管路６１へのガス供給および停止を行い、ガス比例弁６３は燃焼部１０へ供給されるガスの量を制御し、切替え電磁弁６４は燃焼部１０の燃焼領域の選択、すなわち、燃焼ガスが供給されるバーナー１１、１２、１３を選択する。
【００３０】
温水配管４３の前記流量センサ４５よりも上流からは、お湯はり用温水配管４８が分岐している。お湯はり用温水配管４８は、注湯電磁弁４９、逆止弁５０を介して、お湯はり循環配管に接続している。お湯はり循環配管は、追い焚き用熱交換器２２を通過して浴槽２へお湯が送られる往き管路５１と、浴槽２から追い焚き用熱交換器２２にお湯が戻される戻り管路５２から構成される。お湯はり用温水配管４８は、この戻り管路５２に接続している。戻り管路５２には、浴槽２内の水量と温水を測定できるセンサ３６およびポンプ５３が設けられている。ポンプ５３が作動すると、お湯は浴槽２と追い焚き用熱交換器２２間で循環する。往き管路５１には温度センサ５４が備えられている。なお、本発明において、前記往き管路５１および戻り管路５２はお湯はり用温水配管４８の一部を構成している。
【００３１】
制御装置３０は、従来知られた給湯機付き風呂釜に備えられる制御装置と同様、燃焼部１０や弁等を含む前記配管群を制御する各制御手段を備えることに加え、後に説明する予測手段３１と、第１と第２の演算手段３２、３３を含む演算手段３４と、第１と第２の演算手段３２、３３の演算結果を比較する比較手段３５を備える。制御装置３０は、前記したように、浴槽２内の水量と水温を測定できるセンサ３６を備えており、該センサ３６からの信号は、前記予測手段３１に送られる。
【００３２】
入力兼表示手段７０は、時刻入力手段７１と、前記第１と第２の演算手段３２、３３の演算結果または比較手段３５による比較結果を表示する表示手段７２を備え、さらに、運転スイッチ７３、自動追い焚きスイッチ７４、手動追い焚きスイッチ７５を備える。なお、入力兼表示手段７０は、時刻入力手段７１と、前記第１と第２の演算手段３２、３３の演算結果または比較手段３５による比較結果を表示する表示手段７２を備えることを除き、他の構成は従来の給湯機付き風呂釜に備えられる入力兼表示手段と同じであってよい。
【００３３】
給湯機付き風呂釜１の運転操作を説明する。運転スイッチ７３をＯＮにすることで、給湯機付き風呂釜１は、通常のお湯はり運転を開始する。その状態では、制御装置３０は、お湯はり用温水配管４８の注湯電磁弁４９を開くとともに、主バーナー１１、１２を燃焼させる。それにより、主バーナー１１、１２により昇温した温水は、お湯はり用温水配管４８、戻り管路５２および往き管路５１を通って、浴槽２に供給される。浴槽２に予め設定した量と温度ｔ１（例えば４０度）の温水が貯留されると、制御装置３０は、主バーナー１１、１２の燃焼を停止するとともに、注湯電磁弁４９も閉じる。
【００３４】
その状態は入浴できる状態であり、例えば母と子供が入浴する。以下、それ以降の操作を、図２のフローチャートを参照して説明する。入浴後に、必要に応じて、入浴者は、一般給湯用温水配管４４からの温湯を給湯するなどの手段で、湯量と温水温度を適量Ｄ（Ｌ）および適温（ｔ１）（例えば４０度）に戻す。それと同時に、次の者、例えば父親が入浴すると予測される時刻ｘを、時刻入力手段７１に入力する（Ｓ１０１）。説明の都合上、入浴予測時刻を入力する時刻を１８時、入力した入浴予測時刻ｘを２１時と仮定する。入力した入浴予測時刻は、制御装置３０に送られる。
【００３５】
制御装置３０に備えられたセンサ３６は、入浴予測時刻ｘを入力した時刻での浴槽２の水量Ｄ（Ｌ）と温度ｔ１に関する情報を検出し（Ｓ１０２）、それを予測手段３１に送り込む。予測手段３１は、送り込まれた情報をもとに、その時点で浴槽２内の温水が持つ総熱量を演算する。予測手段３１は、さらに、当該浴槽２における時間経過と放熱量の相関チャートを備えており、演算した総熱量と、前記チャートから得られる現在から入浴予測時刻ｘまでの時間ｙ１（すなわち１８時から２１時までの３時間）での放熱量とから、入浴予測時刻ｘでの浴槽２内の温水温度ｔ２を演算して予測する（Ｓ１０３）。
【００３６】
一方、第１演算手段３２は、自動追い焚きを遂行するプログラムを有している。この例において、プログラムは、一定時間ｙ２（＜ｙ１）（例えば３０分）経過時に、前記した追い焚き用バーナー１３を燃焼させるとともに、ポンプ５３を継続運転させるようになっている。さらに、プログラムは、追い焚き用バーナー１３の燃焼により昇温した温水が浴槽２内に循環することで、浴槽２内の温度が予め設定した温度ｔ１（例えば４０度）になると、追い焚き用バーナー１３の燃焼を停止するようになっている。上記プログラムのもとでの追い焚き用バーナー１３の反復した燃焼によって消費されるエネルギ量を第１演算手段３２は演算する（Ｓ１０４）。この例で、第１演算手段３２は、現在から入浴予測時刻ｘまでの時間ｙ１までの燃焼と燃焼停止の反覆回数ｓ、すなわちｙ１／ｙ２（この例では、１８０分／３０分＝６回）と、ｙ２時間経過したときでの浴槽水の温度ｔ３とから、自動追い焚き時での反覆燃焼により消費されるエネルギ量Ｅ１（Ｄ（Ｌ）×Δｔａ×ｓ：Δｔａ＝ｔ１−ｔ３）を演算して、その結果を前記した比較手段３５に送り込む。
【００３７】
第２演算手段３３は、Ｓ１０３で予測した入浴予測時刻ｘでの温度ｔ２である浴槽２内の温水を、予め設定した温度ｔ１（例えば４０度）にまで昇温させるのに必要な消費エネルギＥ２（Ｄ（Ｌ）×Δｔｂ：Δｔｂ＝ｔ１−ｔ２）を演算する（Ｓ１０５）。そして、その結果を前記した比較手段３５に送り込む。
【００３８】
比較手段３５は、第１演算手段３２が演算した消費エネルギ量Ｅ１と第２演算手段３３が演算した消費エネルギ量Ｅ２とを比較して（Ｓ１０６）、その結果を表示手段７２に表示する（Ｓ１０７）。表示の一例としては、手動追い焚きモードと自動追い焚きモードのうち、消費エネルギ量が少ないと判断されたモードを表示する態様でもよく、比較手段が消費エネルギ量Ｅ１と消費エネルギ量Ｅ２との差分を演算する手段を備えている場合には、いずれかのモード表示に加えて、消費エネルギ量Ｅ１とＥ２の差分を数値として同時に表示する態様でもよい。
【００３９】
使用者は、その表示結果を見て、消費エネルギ量の少ない方を積極的に選択することもできるし、消費エネルギ量の差が小さい場合には、快適性を優先して自動追い焚きモードを選択することもできるし、消費エネルギ量の大小にかかわらず、快適性を優先して自動追い焚きモードを選択することもできる。すなわち、本発明による給湯機付き風呂釜を採用することにより、使用者に対して、手動追い焚きモードと自動追い焚きモードのいずれを選択すべきかを視覚的および数値的情報として与えることができる。
【００４０】
上記の説明の他の態様において、第１演算手段３２が演算した消費エネルギ量Ｅ１と第２演算手段３３が演算した消費エネルギ量Ｅ２とを、比較手段３５を通すことなく、直接的に、表示手段７２で表示することもできる（Ｓ１０８、Ｓ１０９）。
【００４１】
次に、本発明による給湯機付き風呂釜での実際の運転状態の一例を説明する。図３は、この具体例において、自動追い焚きモードを選択したときと手動追い焚きモードを選択したときでの、浴槽内の湯温の変動状態を示している。この例で、浴槽２の水量Ｄ（Ｌ）を２００Ｌ、次の入浴者が入浴を予定するまでの時間ｙ１を１８０分、設定温度ｔ１は４０度であり、自動追い焚きモードではｙ２＝３０分ごとに燃焼が反覆する。そして、３０分放置することで、湯温ｔ３は４０度から３８．５度に変化する。すなわち、Δｔａは１．５度である。そして、２分間燃焼することで、水温は４０度に戻る。
【００４２】
一方、手動追い焚きモードを選択したとき、すなわち、ｙ１＝１８０分の間、放置したときの浴槽内の水温ｔ２は３５．４度であり、Δｔｂは、４．６度となる。
【００４３】
この例において、自動追い焚きモードを選択したときの消費エネルギＥ１は、２００（Ｌ）×（４０−３８．５度）×６回＝１８００（ｋｃａｌ）であり、手動追い焚きモードを選択したときの消費エネルギＥ２は、２００（Ｌ）×（４０−３５．４度）＝９２０（ｋｃａｌ）となる。すなわち、この例では、手動追い焚きモードを選択したほうが、自動追い焚きモードを選択した場合よりも、８８０（ｋｃａｌ）の熱量を低減できる。表示手段は、消費エネルギＥ１とＥ２の双方を数値として表示するか、消費エネルギ量が少ないのは手動追い焚きモードである旨を、必要な場合には熱量の差分である数値とともに表示する。
【００４４】
使用者は、その表示をみて、湯を出るときに手動追い焚きモードを選択するか、あるいは、その時点で一旦風呂釜の燃焼を停止し、１８０分後、あるいはそれよりも数分前に、手動追い焚きを行うようにする。
【００４５】
なお、上記の説明では、演算量あるいは比較量として、消費エネルギ量を採用するようにしたが、燃焼に伴って発生する二酸化炭素の排出量を演算して、二酸化炭素排出量を比較量および表示量として用いることもできる。
【符号の説明】
【００４６】
１…給湯機付き風呂釜、
２…浴槽、
１０…燃焼部、
１１、１２…主バーナー、
１３…追い焚き用バーナー、
２０…熱交換器、
２１…主熱交換器、
２２…追い焚き用熱交換器、
３０…制御装置、
３１…予測手段、
３２…第１演算手段、
３３…第２演算手段、
３４…演算手段、
３５…比較手段、
３６…浴槽内の水量と水温を測定できるセンサ、
７０…入力兼表示手段、
７１…時刻入力手段、
７２…表示手段
【図１】
2011242028.tif 000003
【図２】
2011242028.tif 000004
【図３】
2011242028.tif 000005